(57)【要約】【課題】  幌で覆った状態においても、荷台への荷物の出し入れが容易な小型トラック用の補助荷台を提供する。【解決手段】  荷台が開閉可能な側板で囲まれている小型トラックの荷台の上に設置される、該トラックの前後方向に沿って互いに間隔をあけて配置される前側支持具と後側支持具、そして該前側支持具と後側支持具とにより、該側板の高さに対して±１５ｃｍの高さにて支持されている棚板からなる小型トラック用の補助荷台。【選択図】        図５
2007022463.tif 000002
【特許請求の範囲】
【請求項１】
荷台が開閉可能な側板で囲まれている小型トラックの荷台の上に設置される、該トラックの前後方向に沿って互いに間隔をあけて配置される前側支持具と後側支持具、そして該前側支持具と後側支持具とにより、該側板の高さに対して±１５ｃｍの高さにて支持されている棚板からなる小型トラック用の補助荷台。
【請求項２】
後側支持具が、該トラックの左右方向に沿って互いに間隔をあけて配置されている後左側支柱と後右側支柱とからなる請求項１に記載の小型トラック用の補助荷台。
【請求項３】
棚板が、前側支持具と後側支持具とに固定された棚板支持枠を介して支持されていて、該支持枠に該棚板上の空間を覆う幌の支持枠が固定されている請求項１に記載の小型トラック用の補助荷台。
【請求項４】
荷台が開閉可能な側板で囲まれている小型トラックであって、荷台の上に、該トラックの前後方向にて互いに間隔をあけて設置されている前側支持具と後側支持具、そして該前側支持具と後側支持具とにより、該側板の高さに対して±１５ｃｍの高さにて支持されている棚板からなる補助荷台が固定されている小型トラック。
【発明の詳細な説明】
【技術分野】
【０００１】
本発明は、小型トラック用の補助荷台に関する。
【背景技術】
【０００２】
小型トラック（いわゆる軽トラック）の荷台を有効利用するために、荷台の上に棚を設置することは一般に行われている。また、小型トラックの荷台に積載した荷物を風雨から守るために、荷台を幌で覆うことも行われている。小型トラックの荷台用の幌を支えるための幌支持枠としては、小型トラックの荷台の周囲を囲う開閉可能な側板（以下、「あおり」ともいう）に固定するものと、あおりの内側の荷台表面に固定するものとが知られている。
【０００３】
特許文献１には、あおり固定型の幌支持枠として、小型トラックの左右各側のあおり上にて止め金具により開閉自在に軸支された幌支持枠（屋根型フレーム）が開示されている。この幌支持枠は、左右一方の側のあおりに設けられた止め金具を外すことによって、反対側のあおりに設けられた金具を軸として幌支持枠自体を開閉したり、あおりを開閉したりすることができるようになっている。
【０００４】
特許文献２には、荷台表面固定型の幌支持枠として、底部にトラック荷台の左右各縁部に沿った方向に延びた棒状の水平杆部と、その水平杆部の両端から垂直に立ち上がる立上杆部とよって形成された基枠とからなり、トラック荷台の左右各縁部に予め取り付けられた差込部を有する取付金具の差込部に差し込み可能な差込片を基枠の水平杆部に突設させた幌用枠体が開示されている。
【特許文献１】特開平１１−３４８５７５号公報
【特許文献２】特開２００２−２６４６５５号公報
【発明の開示】
【発明が解決しようとする課題】
【０００５】
上述のように、小型トラックの荷台の上に棚を設置したり、荷台を幌で覆ったりすることは従来より行われているが、荷台を幌で覆うと荷台への荷物の出し入れが不便になるという問題がある。
従って、本発明の目的は、幌で覆った状態においても、荷台への荷物の出し入れが容易な小型トラック用の補助荷台を提供することにある。本発明の目的はまた、幌で覆った状態でも、荷台への荷物の出し入れが容易な補助荷台が設置された小型トラックを提供することにある。
【課題を解決するための手段】
【０００６】
本発明は、荷台が開閉可能な側板で囲まれている小型トラックの荷台の上に設置される、該トラックの前後方向に沿って互いに間隔をあけて配置される前側支持具と後側支持具、そして該前側支持具と後側支持具とにより、該側板の高さに対して±１５ｃｍの高さにて支持されている棚板からなる小型トラック用の補助荷台にある。
【０００７】
本発明はまた、荷台が開閉可能な側板で囲まれている小型トラックであって、荷台の上に、該トラックの前後方向にて互いに間隔をあけて設置されている前側支持具と後側支持具、そして該前側支持具と後側支持具とにより、該側板の高さに対して±１５ｃｍの高さにて支持されている棚板からなる補助荷台が固定されている小型トラックにもある。
【０００８】
本発明の小型トラック用補助荷台の好ましい態様は次の通りである。
（１）後側支持具が、該トラックの左右方向に沿って互いに間隔をあけて配置されている後左側支柱と後右側支柱とからなる。
（２）棚板が、前側支持具と後側支持具とに固定された棚板支持枠を介して支持されていて、該支持枠に該棚板上の空間を覆う幌の支持枠が固定されている。
【発明の効果】
【０００９】
本発明の補助荷台が設置された小型トラックでは、あおりを開くことによって、棚板下部の荷台空間への荷物の出し入れをトラックの左右方向から行なうことができる。従って、本発明の補助荷台が設置された小型トラックでは、幌で覆った状態においても荷台への荷物の出し入れが容易となる。
【発明を実施するための最良の形態】
【００１０】
以下、本発明の小型トラック用補助荷台について添付図面を参照しながら説明する。
図１は、本発明に従う補助荷台が固定されている小型トラックの一例の斜視図である。図２は、図１に示した補助荷台から棚板と側面板とを外した状態を示す斜視図である。図３は、図１に示した補助荷台の左後方側部分の分解斜視図である。
【００１１】
図１〜図３において、小型トラック１０の荷台１１に固定されている補助荷台２０は、トラックの前後方向に沿って互いに間隔をあけて配置される前側支持具（前左側支柱２１ａ、前右側支柱２１ｂ）と後側支持具（後左側支柱２１ｃ、後右側支柱２１ｄ）、前側支持具と後側支持具とに固定された棚板支持枠３０を介して支持されている棚板２２、棚板２２の左右両端に配置されている棚側面板２３ａ、２３ｂ、そして棚板支持枠３０に固定されている棚板２２上の空間を覆うための幌の支持枠５０からなる。左右後側の各あおり１２ａ、１２ｂ、１２ｃと棚板支持枠３０とは、鎖１３で繋がっていて、あおりの内面と荷台１１の表面とが平坦になるようにあおりを開けることができるようになっている。なお、前左側支柱２１ａと前右側支柱２１ｂとが一体となって前側支持具を形成していてもよく、後左側支柱２１ｃと後右側支柱２１ｄとは一体となって後側支持具を形成していてもよい。
【００１２】
前左側支柱２１ａ、前右側支柱２１ｂ、後左側支柱２１ｃ及び後右側支柱２１ｄは、それぞれ荷台１１の四隅近傍に配置されていることが好ましい。後左側支柱２１ｃと後右側支柱２１ｄとをトラックの左右方向に沿って互いに間隔をあけて配置することにより、後左側支柱２１ｃと後右側支柱２１ｄの間から棚板２２の下部空間への荷物の出し入れを行なうことが可能となる。
【００１３】
前左側支柱２１ａ、前右側支柱２１ｂ、後左側支柱２１ｃ及び後右側支柱２１ｄには、Ｌ字型鋼材を用いることができる（図３参照）。各支柱は、溶接あるいはビス止めにより小型トラック１０の荷台１１の表面に固定することができる。
【００１４】
棚板２２は、その高さ（荷台表面から棚板底面までの距離）が、左右後側の各あおり１２ａ、１２ｂ、１２ｃの高さに対して±１５ｃｍ、好ましくは±１０ｃｍである。棚板２２の高さが高くなりすぎると、棚板上部への荷物の出し入れが不便となり、一方、棚板の高さが低くなりすぎると、棚板下部の荷台空間が狭くなりすぎるため、実用性が低くなる。
【００１５】
棚側面板２３ａ、２３ｂは、棚板上部に置いた荷物が外に飛び出さないように保護するために設置する。棚側面板２３ａ、２３ｂの高さは、通常は３０〜１００ｃｍの範囲にある。
【００１６】
棚板２２及び棚側面板２３ａ、２３ｂには、木板、金属板、プラスチック板を用いることができる。棚板２２及び棚側面板２３ａ、２３ｂの厚さは、一般に０．５〜２．０ｃｍの範囲である。
【００１７】
棚板支持枠３０は、図２に示すように、前左側支柱２１ａと後左側支柱２１ｃとに架かる左側横棒３１ａ、前右側支柱２１ｂと後右側支柱２１ｄとに架かる右側横棒３１ｂ、そして小型トラック１０の左右方向に沿って左側横棒３１ａと右側横棒３１ｂとに架かる棚板支持横棒４０からなる。
【００１８】
棚板支持枠３０の左側横棒３１ａは、図３に示すように、トラックの荷台平面に対して垂直方向に延びた垂直部３２、垂直部上端から内側に平面方向に延びた上端延長部３３、そして垂直部下端から外側に平面方向に延びた下端延長部３４からなる鋼材を用いることができる。このような形状の鋼材は、垂直部３２と上端延長部３３とを形成する内側のＬ字型鋼材３５ａと、垂直部３２と下端延長部３４とを形成する外側のＬ字型鋼材３５ｂとを接合することにより形成することができる。
【００１９】
左側横棒３１ａの垂直部３２の内側面には、前後左側の支柱２１ａ、２１ｃとを固定するための支柱固定具３６（図３には、後左側支柱２１ｃを固定するための支柱固定具３６のみが示されている）、及び支柱２１ｃと棚板支持横棒４０を固定するための棚板支持棒固定具３７とが付設されている。支柱固定具３６と前後左側の支柱２１ａ、２１ｃ及び棚板支持棒固定具３７と棚板支持横棒４０とはビス３８により接続できるようになっている。
【００２０】
左側横棒３１ａの垂直部３２の外側面には、幌支持枠５０を固定するための幌支持枠固定具３９が付設されている。幌支持枠固定具３９は円筒状となっており、幌支持枠固定具と幌支持枠５０とは、はめ込みによって接続できるようになっている。
【００２１】
棚板支持枠３０の右側横棒３１ｂは、左側横棒３１ａと左右が対称となる以外は同様の構成である。
【００２２】
棚板支持横棒４０は、図３に示すように、Ｌ字型の鋼材を用いることができる。棚板支持横棒の端部には、棚板支持棒固定具３７に接続したときに、左側横棒３１ａの上端延長部３３の上面と棚板支持横棒の上面とが平坦な面を形成するように、切り欠き４１が設けられている。
【００２３】
幌支持枠５０は、左側横棒３１ａと右側横棒３１ｂの幌支持枠固定具３９にそれぞれ固定された複数本の左側縦棒５１ａと右側縦棒５１ｂ、各左側縦棒５１ａを互いに連結する左側連結横棒５２ａ、各右側縦棒５１ｂを連結する右側連結横棒５２ｂ、そして左側連結横棒５２ａと右側連結横棒５２ｂとに架かる屋根支持横棒５３からなる。屋根支持横棒５３の前後左右の角には、補強片５４ａ、５４ｂ、５４ｃ、５４ｄが設けられている。
【００２４】
幌支持枠５０の左側縦棒５１ａ、左側連結横棒５２ａ、屋根支持横棒５３は、図３に示すように、互いにはめ込みによって固定できるようになっている。右側縦棒５１ｂ、右側連結横棒５２ｂ、屋根支持横棒５３も同様である。
【００２５】
本発明の補助荷台では、幌支持枠にさらにキャリアを固定してもよい。幌支持枠にキャリアを固定した補助荷台の例を添付図面の図４と図５に示す。
図４は、キャリア付き補助荷台が固定されている小型トラックの一例の斜視図である。図５は、図４の補助荷台の幌支持枠を幌で覆った状態を示す斜視図である。
【００２６】
図４において、キャリア６０は、前後左右の補強片５４ａ、５４ｂ、５４ｃ、５４ｄのそれぞれに固定されたキャリア固定具６１ａ、６１ｂ、６１ｃ、６１ｄ、左前キャリア固定具６１ａと左後キャリア固定具６１ｃとに架かる左側キャリア横棒６２ａ、右前キャリア固定具６１ｂと右後キャリア固定具６１ｄとに架かる右側キャリア横棒６２ｂ、そして左側キャリア横棒６２ａと右側キャリア横棒６２ｂに架かるキャリア荷受け棒６３からなる。キャリア固定具６１ａ、６１ｂ、６１ｃ、６１ｄとキャリア横棒６２ａ、６２ｂとは着脱可能となっていて、幌支持枠体への幌の着脱の際には、キャリア横棒を外せるようになっている。
【００２７】
本発明の補助荷台が設置された小型トラックでは、幌７０は、幌左側面部７１ａ、幌右側面部７１ｂ、幌後側面部７１ｃのそれぞれが独立して捲り上げられるようになっていることが好ましい。こうすることによって、図５に示すように、幌右側面部７１ｂを捲り上げて、右側あおり１２ｂを開くだけで、トラックの右方向から棚板下部の荷台空間への荷物の出し入れを行なうことが可能となる。
【図面の簡単な説明】
【００２８】
【図１】本発明に従う補助荷台が固定されている小型トラックの一例の斜視図である。
【図２】図１に示した補助荷台から棚板と側面板とを外した状態を示す斜視図である。
【図３】図１に示した補助荷台の左後方側部分の分解斜視図である。
【図４】本発明に従う補助荷台が固定されている小型トラックの別の一例の斜視図である。
【図５】図４の補助荷台の幌支持枠に幌を覆った状態を示す斜視図である。
【符号の説明】
【００２９】
１０  小型トラック
１１  荷台
１２ａ  左側あおり（側板）
１２ｂ  右側あおり（側板）
１２ｃ  後側あおり（側板）
１３  鎖
２０  補助荷台
２１ａ  前左側支柱（支持具）
２１ｂ  前右側支柱（支持具）
２１ｃ  後左側支柱（支持具）
２１ｄ  後右側支柱（支持具）
２２  棚板
２３ａ、２３ｂ  棚側面板
３０  棚板支持枠
３１ａ  左側横棒
３１ｂ  右側横棒
３２  垂直部
３３  上端延長部
３４  下端延長部
３５ａ  内側Ｌ字型鋼材
３５ｂ  外側Ｌ字型鋼材
３６  支柱固定具
３７  棚板支持棒固定具
３８  ビス
３９  幌支持枠固定具
４０  棚板支持横棒
４１  切り欠き
５０  幌支持枠
５１ａ  左側縦棒
５１ｂ  右側縦棒
５２ａ  左側連結横棒
５２ｂ  右側連結横棒
５３  屋根支持横棒
５４ａ  左前補強片
５４ｂ  右前補強片
５４ｃ  左後補強片
５４ｄ  右後補強片
６０  キャリア
６１ａ  左前キャリア固定具
６１ｂ  右前キャリア固定具
６１ｃ  左後キャリア固定具
６１ｄ  右後キャリア固定具
６２ａ  左側キャリア横棒
６２ｂ  右側キャリア横棒
６３  キャリア荷受け棒
７０  幌
７１ａ  幌左側面部
７１ｂ  幌右側面部
７１ｃ  幌後側面部
【図１】
2007022463.tif 000003
【図２】
2007022463.tif 000004
【図３】
2007022463.tif 000005
【図４】
2007022463.tif 000006
【図５】
2007022463.tif 000007